(57)【要約】      （修正有）【課題】狭い作業スペース内で緩勾配をもつ設備用排水管を効率良く取り付けでき、作業環境を改善することができる配管支持具を提供する。【解決手段】配管支持具１０は、基礎に打ち込まれるホールインアンカー部２ａおよびその上部に形成された長ネック部２ｂを有するアンカーボルト２と、アンカーボルト２に支持され、配管Ｐを下方から支持する配管受け部９と、アンカーボルト２の長ネック部２ｂに螺合される長ボルト４ａを含む高さ調整部４と、長ボルト４ａを軸まわりに回転自由に支持し、かつ長ボルト４ａに対して傾動可能に取り付けられ、配管受け部９の勾配を調整する勾配調整部５と、を具備する。【選択図】図１
0003222066.tif 000002
【実用新案登録請求の範囲】
【請求項１】
基礎に打ち込まれるホールインアンカー部およびその上部に形成された長ネック部を有するアンカーボルトと、
前記アンカーボルトに支持され、配管を下方から支持する配管受け部と、
前記アンカーボルトの前記長ネック部に螺合される長ボルトを含む高さ調整部と、
前記長ボルトを軸まわりに回転自由に支持し、かつ前記長ボルトに対して傾動可能に取り付けられ、前記配管受け部の勾配を調整する勾配調整部と、
を具備することを特徴とする配管支持具。
【請求項２】
前記高さ調整部の前記長ボルトは、前記配管受け部の下部に形成された当り止めに当接するヘッドストッパを端部に有することを特徴とする請求項１に記載の配管支持具。
【請求項３】
前記勾配調整部は、ヘッドストッパとの間に遊げきを有する当り止めと、前記配管受け部の腕木を挟み込み、締結手段により前記腕木と締結される挟み込み部と、を有することを特徴とする請求項１に記載の配管支持具。
【請求項４】
前記配管受け部は、配管と直接接触する面に軟質の被覆材を貼り付けた座部を有することを特徴とする請求項１に記載の配管支持具。
【請求項５】
配管を支持するために床材に取り付けられるセットフロアと、
前記セットフロアに支持され、配管を下方から支持する配管受け部と、
前記セットフロアの前記長ネック部に螺合される長ボルトを含む高さ調整部と、
前記長ボルトを軸まわりに回転自由に支持し、かつ前記長ボルトに対して傾動可能に取り付けられ、前記配管受け部の勾配を調整する勾配調整部と、
を具備することを特徴とする配管支持具。
【考案の詳細な説明】
【技術分野】
【０００１】
本考案は、マンション等の設備用排水管のような緩やかな勾配をもつ配管を支持するための配管支持具に関する。
【背景技術】
【０００２】
屋内排水設備からの排水管は、一次処理貯留槽に大量の水が一度に流れ込まないようにする一方で配管に詰まりを生じないようにするために、傾きが１／５０〜１／１００の緩やかな勾配をつけてあり、水流にのって固形物が一緒に流れ下るようにしている。このような緩勾配の排水管の支持には、例えば特許文献１および特許文献２に記載されている各種の配管支持具が用いられている。
【先行技術文献】
【特許文献】
【０００３】
【特許文献１】実用新案登録第３２１０４８１号公報
【特許文献２】特開２００３−１５６１７９号公報
【考案の概要】
【考案が解決しようとする課題】
【０００４】
一般に屋内の設備用排水管が敷設される場所は、狭隘であり、床から天井までの高さスペースが極端に制限されていることから、配管の取付作業では作業員は無理な姿勢をとらざるを得ない。その作業内容は排水管の経路と高さと勾配を計測しながら配管支持具を１つずつ設置して進む漸次前進型であり、高さや勾配などの計測に細心の注意を払う必要がある。このため、設備用排水管の敷設工事は一般の配管工事に比べて作業効率が低く、作業員は長時間にわたる過酷な作業を強いられることが多くなる。
【０００５】
しかしながら、従来の配管支持具は、配管の支持高さを調整するための支柱が配管よりも上方に突出しているために、移動するときに支柱の先端が作業服や工具に引っ掛かりやすく、非常に作業しにくいという難点がある。
【０００６】
本考案は上記課題を解決するためになされたものであり、狭い作業スペース内で緩勾配をもつ設備用排水管を効率良く取り付けでき、作業環境を改善することができる配管支持具を提供することを目的とする。
【課題を解決するための手段】
【０００７】
本考案に係る配管支持具は、基礎に打ち込まれるホールインアンカー部(2a)およびその上部に形成された長ネック部(2b)を有するアンカーボルト(2)と、前記アンカーボルトに支持され、配管を下方から支持する配管受け部(9)と、前記アンカーボルトの前記長ネック部に螺合される長ボルトを含む高さ調整部(4)と、前記長ボルトを軸まわりに回転自由に支持し、かつ前記長ボルトに対して傾動可能に取り付けられ、前記配管受け部の勾配を調整する勾配調整部(5)と、を具備することを特徴とする。
【考案の効果】
【０００８】
本考案の配管支持具によれば、特にマンションや一戸建てのような狭隘な場所に屋内排水管を取り付ける際の作業労力を大幅に軽減することができる。特に、本考案の配管支持具は、配管より低い下部スペースのみに設けられることから、配管より高い上方の空間がフリースペースとなって作業環境が大幅に改善される。
【図面の簡単な説明】
【０００９】
【図１】図１は本考案の実施形態に係る配管支持具を示す全体図。
【図２】図２は配管支持具の上部要素をなす配管受け部と配管の一部を示す斜視図。
【図３ａ】図３ａは、コンクリートスラブのアンカーホールにアンカーボルトを打設するところを示す工程図。
【図３ｂ】図３ｂは、勾配調整部付の長ボルトをアンカーボルトの長ネック部に螺合して高さ調整するところを示す工程図。
【図３ｃ】図３ｃは、勾配調整部の挟み込み部に配管受け部の腕木を差し込み、ボルトとナットで両者を締結するところを示す工程図。
【図３ｄ】図３ｄは、設置された配管支持具の受け部上に配管を載置するところを示す工程図。
【図３ｅ】図３ｅは、高さ調整と勾配調整した配管支持具によって配管を支持した状態を示す工程図。
【図４】図４は、配管支持具の高さ調整方法と勾配調整方法をそれぞれ説明するための側面図。
【図５】図５は、配管支持具の高さ調整方法と勾配調整方法をそれぞれ説明するための側面図。
【図６】図６は、他の実施形態の配管支持具を示す部分断面図。
【図７】図７は、図６の配管支持具に用いられるセットフロアを示す平面図。
【考案を実施するための形態】
【００１０】
以下、添付の図面を参照して本考案の種々の好ましい実施の形態を説明する。
【００１１】
図１に示すように、第１の実施形態の配管支持具１０は、基礎Ｃに打ち込まれるホールインアンカー部２ａおよびその上部に形成された長ネック部２ｂを有するアンカーボルト２と、このアンカーボルト２に支持され、配管Ｐを下方から支持する配管受け部９と、アンカーボルトの長ネック部２ｂに螺合される長ボルト４ａを含む高さ調整部４と、長ボルト４ａを軸まわりに回転自由に支持し、かつ長ボルト４ａに対して傾動可能に取り付けられ、配管受け部９の勾配を調整する勾配調整部５と、を備えている。
【００１２】
アンカーボルトのホールインアンカー部２ａの下半部には複数のスリットが形成されている。ホールインアンカー部２ａの長さは、例えば汎用サイズの３０ｍｍである。長ネック部２ｂの長さは、高さ調整に用いられるために一般的なものより長く、例えば４０〜５０ｍｍである。
【００１３】
勾配調整部５は、本体５ａ、縮径部５ｂ、一対の挟み込み部５ｃ、連通孔５ｄ、ストッパ部５ｅ、および一対の座ナット５ｆを備えている。勾配調整部の本体５ａ内には拡張スペース６ａ、クリアランス６ｂ、狭スペース６ｃ、がそれぞれ形成されている。この勾配調整部５は、高さ調整部４と互いに動き回れるように連結され、高さ調整部／勾配調整部アッセンブリを形成している。
【００１４】
高さ調整部／勾配調整部アッセンブリ４，５は、アンカーボルトの長ネック部２ｂの上部に取り付けられている。この高さ調整部／勾配調整部アッセンブリ４，５において、高さ調整部４の上部と勾配調整部５の下部とは遊嵌され、勾配調整部５に対して高さ調整部４が垂直軸まわりに回転可能であるとともに、高さ調整部４に対して勾配調整部５が水平軸を基準として数度ほど傾動可能となっている。もう少し詳しく説明すると、長ボルト頭部４ｂのヘッドストッパ４ｃが勾配調整部本体下部のクリアランス６ｂのなかで例えば１〜３°の範囲で傾動可能なように嵌め込まれている。
【００１５】
配管受け部９は、シート９ａおよびブラケット９ｂを備えている。勾配調整部５の一対の挟み込み部５ｃの相互間には狭スペース６ｃが形成されている。この狭スペース６ｃに配管受け部９のブラケット９ｂが差し込まれ、これをボルト７とナット８で締結することにより配管受け部９が勾配調整部５の上部に取り付けられるようになっている。
【００１６】
配管受け部のシート（座部）９ａ上には配管Ｐが載置され、配管Ｐが受け部９から脱落しないように、図示しない結束バンドが所定箇所に巻き付けられるようになっている。
【００１７】
図２に示すように、配管受け部の座部９ａは、配管Ｐの下半部の形状に沿う湾曲した形状をなしている。座部９ａには、配管の保護および滑り止めのために、配管Ｐと直接接触する面に軟質の被覆材、例えばウレタン樹脂シートを貼り付けるようにしてもよい。配管Ｐの直径は例えば１〜２インチの程度である。配管Ｐは、一般には塩化ビニルのような硬質樹脂管であるが、ステンレス鋼のような金属管である場合もある。
【００１８】
次に、図３ａ〜図３ｅを参照して配管支持具の取り付け方法を説明する。
【００１９】
図面に従って測量した箇所のコンクリートスラブＣ上にマーキングし、マーキング箇所のコンクリートスラブＣをドリル穿孔することにより所定の径と深さのアンカーホールＨを形成する。図３ａに示すように、アンカーボルトのホールインアンカー部２ａをアンカーホールＨに打ち込む。これによりアンカーボルト２がコンクリートスラブＣ上に垂直に立設される。
【００２０】
次いで、図３ｂに示すように、高さ調整部／勾配調整部アッセンブリの長ボルト４ａをアンカーボルトの長ネック部２ｂにねじ込み、アンカーボルト２のスリット形成部分（ホールインアンカー部２ａ）を押し拡げて固定強度を上昇させるとともに概略の高さ調節を行う。
【００２１】
次いで、図３ｃに示すように、向きを揃えた勾配調整部５の挟み込み部５ｃに配管受け部９のブラケット９ｂを差し込み、ブラケット９ｂのボルト穴を挟み込み部５ｃのボルト穴に位置を揃えて、これにボルト７を挿通し、ナット８をボルト７に螺合させて締め付ける。これにより配管受け部９が高さ調整部／勾配調整部アッセンブリ４，５の上部に取り付けられ、両者は一体化する。
【００２２】
次いで、図３ｄに示すように、配管受け部９のシート９ａ上に配管Ｐを載置し、高さ調整部４の長ボルト４ａを少しずつ回して高さの微調整を行う。なお、配管Ｐの高さ調整を高精度に行えば、配管Ｐの勾配調整は勾配調整部５の作用により自動調整される。
【００２３】
次いで、図３ｅに示すように、高さ調整および勾配調整済みの配管Ｐと受け部９とに結束バンド（図示せず）を巻き付け、配管Ｐが外れないように配管支持具１０にしっかりと固定する。なお、結束バンドは、配管支持具の前部と後部に合計２本取り付けるのが好ましいが、１本であってもよい。
【００２４】
次に、図４と図５を参照して本考案に係る配管支持具の使用態様の一例を説明する。
【００２５】
図４に示すように、最初に第１の配管支持具１０ａを取り付け、その高さ調整をした後に、第２の配管支持具１０ｂを取り付け、その高さ調整をしながら勾配測定器２０を用いて第１及び第２の配管支持具１０ａ，１０ｂ間の勾配調整を行う。次いで、図５に示すように、第３の配管支持具１０ｃを取り付け、その高さ調整をした後に、図示しない第４の配管支持具を取り付け、その高さ調整をしながら勾配測定器２０を用いて第２及び第３の配管支持具１０ｂ，１０ｃ間の勾配調整を行う。これら一連の作業を繰り返すことによって排水管Ｐが順次敷設される。
【００２６】
各作業をさらに詳しく説明する。上述した図３ａ〜図３ｃの作業手順に従い第１の配管支持具１０ａを設置し、コンクリートスラブＣの基準面から第１の配管支持具１０ａの基準点までの高さがｈ１となるように第１の配管支持具１０ａの高さ調整をする。次いで、メジャー２４を用いて第１の配管支持具１０ａの中心軸から水平距離Ｌ１の箇所を計測し、その計測箇所をマーキングし、マーキング箇所をドリルで穿孔する。穿孔したアンカーホールＨにアンカーボルト２を打ち込み、同様の作業手順に従いコンクリートスラブＣの基準面から第２の配管支持具１０ｂの基準点までの高さがｈ２となるように第２の配管支持具１０ｂの高さ調整をする。
【００２７】
次に、メジャー２４を用いて第２の配管支持具１０ｂの中心軸から水平距離Ｌ２の箇所を計測し、その箇所をマーキングするとともに、その箇所に支持棒２１に支持された勾配測定器２０を設置して勾配を調整する。勾配調整ステップでは、測定器本体２２の下部からメジャー２４を所定の長さだけ引き出し、メジャー２４の先端のフック２３を第２の配管支持具１０ｂの基準点に引っ掛ける。次いで、メジャー２４上の水準器２５で測定しながら、メジャー２４が水平位置となるまで測定器本体２２を上下動させる。
【００２８】
水準器２５でメジャー２４が水平位置となったときの測定器本体２２の中心軸からフック２３までの長さはＬ２である。また、測定器２０の支持台から本体４２下面までの高さはｈ３である。測定器本体の表示窓２６には、第３の配管支持具１０ｃの高さｈ４がＬ２×１／５０＋ｈ３となるように数値表示される（ｈ４＝Ｌ２×１／５０＋ｈ３）。測定器２０による測定結果に基づいて高さｈ４となるように第３の配管支持具１０ｃの高さを調整すると、第２の配管支持具１０ｂから第３の配管支持具１０ｃまでの間の勾配が１／５０となる。なお、敷設現場のスペースおよび配管Ｐのサイズに応じて配管支持具１０ａ〜１０ｃの取り付け間隔と高さは変わるものであるが、配管Ｐの径が２５〜５０ｍｍの場合には、配管支持具の取り付け間隔Ｌ１，Ｌ２は１５０ｃｍ前後であり、その取り付け高さｈ１〜ｈ３は１０〜２０ｃｍ程度である。
【００２９】
次に、図６と図７を参照して本考案に係る配管支持具の第２の実施形態を説明する。
【００３０】
上述の第１の実施形態ではマンションや病院などの屋内設備用排水管に適用した例を示したが、本考案の配管支持具は一戸建ての屋内排水管にも適用することができる。
【００３１】
図６に示すように、一戸建て用の配管支持具１０Ａは、支持部材として木質フローリングＦに木ねじ１６で簡単に取り付けられるセットフロア１２を備え、第１の実施形態のものより長い長ボルト４Ａを有している。一戸建てではコンクリートスラブＣが露出しないようにコンクリートスラブＣの上方にフローリングＦを設けて覆い隠すようにして床下スペース３０を設けていることから、配管支持具の取付箇所からコンクリートスラブＣまでの距離が遠くなり、一般的な汎用サイズのアンカーボルトではコンクリートスラブＣに届かない。そのため、アンカーボルトの代わりにセットフロア１２を用いて配管を支持するようにしている。
【００３２】
図７に示すように、セットフロア１２は、所定板厚をもつ円板状であり、中央のボルト穴１３および２つのねじ穴１４がそれぞれ形成されている。セットフロア１２のボルト穴１３の上部開口まわりには上ナット１７が取り付けられ、ボルト穴１３の下部開口まわりには下ナット１８が取り付けられている。上下一対のナット１７、１８は、溶接等によりセットフロア１２の本体に動かないようにしっかりと固着されている。床上の上ナット１７よりも床下スペース３０の下ナット１８のほうが長い。これら上下ナット１７，１８によってセットフロアの長ネック部が形成されている。
【００３３】
セットフロア１２は、金属材料または硬質プラスチックでつくられている。セットフロア１２の形状は、円板状以外の形状として他に楕円板状や四角板状とすることができる。また、ねじ穴１４は、２つ以外に３つまたは４つ形成することができる。
【産業上の利用可能性】
【００３４】
本考案の配管支持具は、特にマンションや一戸建てのような狭隘な場所での屋内排水管の取付工事に利用することができる。さらに、長ネック部をもつアンカーボルトと長ボルトとを組み合わせた高さ調整部品は、排水管の取り付けばかりでなく、空調機器の取り付け工事などにも幅広く利用することができる汎用性の高いものである。
【符号の説明】
【００３５】
2…アンカーボルト、4…高さ調整部、4a,4A…長ボルト、4b…ボルト頭部（六角ナット）、4c…ヘッドストッパ、
5…勾配調整部、5a…本体、5b…縮径部、5c…挟み込み部、5d…連通孔、5e…当り止め、5f…座ナット、
6a…拡張スペース、6b…遊げき（クリアランス）、6c…狭スペース、
7…締結ボルト、8…締結ナット、
9…配管受け部、9a…座部（シート）、9b…腕木（ブラケット）、
10,10a,10b,10c,10A…配管支持具、
12…セットフロア、13…ボルト穴、14…ねじ穴、16…木ねじ、17，18…長ネック部（上下ナット）、
20…勾配測定器、21…支持棒、22…本体、23…フック、24…メジャー、25…水準器、26…表示窓、30…床下スペース、
P…配管（排水管）、C…コンクリートスラブ、H…アンカーホール、F…木質フローリング
【図１】
0003222066.tif 000003
【図２】
0003222066.tif 000004
【図３ａ】
0003222066.tif 000005
【図３ｂ】
0003222066.tif 000006
【図３ｃ】
0003222066.tif 000007
【図３ｄ】
0003222066.tif 000008
【図３ｅ】
0003222066.tif 000009
【図４】
0003222066.tif 000010
【図５】
0003222066.tif 000011
【図６】
0003222066.tif 000012
【図７】
0003222066.tif 000013